(57)【特許請求の範囲】
【請求項１】
複数の記録層を有する多層光ディスクに対応した光ディスク装置に搭載される光ピックアップにおいて、
レーザ光を発射するレーザダイオードと、
前記レーザダイオードから発射されたレーザ光を前記多層光ディスクの記録層上に集光する対物レンズと、
前記レーザダイオード及び前記対物レンズ間の前記レーザ光の光路上に配置されたコリメータレンズと、
前記コリメータレンズを前記レーザ光の光路に沿って前記対物レンズに近づく方向又は当該対物レンズから遠ざかる方向に移動させるコリメータレンズ移動部と
を備え、
前記コリメータレンズを透過した前記レーザ光が平行光となる当該コリメータレンズの基準位置が、当該コリメータレンズの可動範囲のうち前記対物レンズ寄りの端部に設定され、
前記基準位置に位置するコリメータレンズを介して前記対物レンズに入射するレーザ光に発生する球面収差によって、前記多層光ディスクの最も手前側の記録層に集光されたレーザ光に発生する球面収差がキャンセルできるように、前記対物レンズが形成された
ことを特徴とする光ピックアップ。
【請求項２】
前記多層光ディスクは、
複数の記録層を有するブルーレイディスク（Blu-ray Disc）である
ことを特徴とする請求項１に記載の光ピックアップ。
【請求項３】
前記対物レンズは、
自己において発生する球面収差によって光ディスクにおいて発生する球面収差をキャンセル可能な当該光ディスク内のレーザ入射面からの厚みが、0.065乃至0.077［mm］の範囲内となるように形成された
ことを特徴とする請求項１に記載の光ピックアップ。
【請求項４】
前記対物レンズは、
自己において発生する球面収差によって光ディスクにおいて発生する球面収差をキャンセル可能な当該光ディスク内のレーザ入射面からの厚みが、略0.065［mm］となるように形成された
ことを特徴とする請求項１に記載の光ピックアップ。
【発明の詳細な説明】
【技術分野】
【０００１】
本発明は、光ピックアップに関し、例えば多層光ディスクに対応した光ディスク装置に搭載される光ピックアップに適用して好適なものである。
【背景技術】
【０００２】
従来、光ディスク装置においては、レーザダイオードから発射されたレーザ光を対物レンズにより光ディスクの記録層上に集光し、そのレーザ光のその記録層における反射光の光量変化に基づいて、かかる記録層に記録されたデータを再生している。
【０００３】
このような光ディスク装置では、光ディスクに入射したレーザ光が記録層に到達するまでの間に、光ディスクにおけるレーザ光の入射面（以下、これを単にレーザ入射面と呼ぶ）から記録層までの厚みに応じた大きさの球面収差がレーザ光に発生することが知られている。
【０００４】
この場合、光ディスクにおけるレーザ入射面から記録層までの厚みは、ブルーレイディスク（ＢＤ：Blu-ray Disc）、ＤＶＤ（Digital Versatile Disc）又はＣＤ（Compact Disc）といった光ディスクの種類毎にそれぞれ予め規格により定められている。そこで、従来の光ディスク装置においては、光ディスクにおいて発生する球面収差を、レーザ光が対物レンズを通過する際に発生する球面収差によってキャンセルし得るように、対物レンズの形状等が予め設計されている。
【０００５】
一方、近年では、記録層を複数有する多層光ディスクも登場している。このような多層光ディスクでは、レーザ入射面から各記録層までの距離がそれぞれ異なるため、レーザ光が各記録層に到達するまでの間に当該レーザ光に発生する球面収差の大きさも記録層ごとにそれぞれ異なる。このため多層光ディスクについては、すべての記録層に共通して、レーザ光に発生する球面収差をキャンセルできるような対物レンズを形成することはできない。
【０００６】
そこで、従来、２層の記録層を有する２層光ディスクに対応した光ディスク装置について、対物レンズを通過するレーザ光に発生する球面収差が２つの記録層の間の任意の位置において最小となるように対物レンズを形成することにより、各記録層における球面収差の影響を許容範囲内に抑える方法が特許文献１において提案されている。
【０００７】
また近年では、多層光ディスクに対応した光ディスク装置について、レーザ光の光路上に配置したコリメータレンズをレーザ光の光軸方向に沿って対物レンズに近づける方向又は対物レンズから遠ざける方向に移動させることによって、対物レンズに入射するレーザ光を収束又は発散光に変化させ、これにより対物レンズを透過するレーザ光に発生する球面収差の大きさを調整する方法も提案されている。この方法によれば、各記録層上において、レーザ光が光ディスクを通過する際に発生した球面収差を、当該レーザ光が対物レンズを透過する際に発生する球面収差によって確実にキャンセルすることが可能となる。従って、この方法は、特にレーザ光の波長が短く球面収差の影響を受けやすい多層ＢＤに対応した光ディスク装置には有効である。
【先行技術文献】
【特許文献】
【０００８】
【特許文献１】特許第３１８９６１６号公報
【発明の概要】
【発明が解決しようとする課題】
【０００９】
ところで、近年では光ディスクの多層化も進み、３層以上の記録層を有する光ディスクの開発も進んでいる。これに伴い光ディスクの最も手前側の記録層（光ディスクに形成された複数の記録層のうちのレーザ入射面に最も近い記録層）から最も奥側の記録層（光ディスクに形成された複数の記録層のうちのレーザ入射面から最も離れた記録層）までの間隔も広くなってきている。
【００１０】
このような状況のもと、上述のように対物レンズを透過するレーザ光に発生する球面収差の大きさをコリメータレンズの位置によって調整できるように光ピックアップを構成する場合、より大きな球面収差が得られるようにするためにコリメータレンズの可動範囲をより大きくする必要がある。そしてこのようなコリメータレンズの可動範囲の拡大が光ピックアップの小型化の阻害要因ともなっている。
【００１１】
本発明は以上の点を考慮してなされたもので、小型化し得る光ピックアップを提案しようとするものである。
【課題を解決するための手段】
【００１２】
かかる課題を解決するため本発明においては、複数の記録層を有する多層光ディスクに対応した光ディスク装置に搭載される光ピックにおいて、レーザ光を発射するレーザダイオードと、前記レーザダイオードから発射されたレーザ光を前記多層光ディスクの記録層上に集光する対物レンズと、前記レーザダイオード及び前記対物レンズ間の前記レーザ光の光路上に配置されたコリメータレンズと、前記コリメータレンズを前記レーザ光の光路に沿って前記対物レンズに近づく方向又は当該対物レンズから遠ざかる方向に移動させるコリメータレンズ移動部とを設け、前記コリメータレンズを透過した前記レーザ光が平行光となる当該コリメータレンズの基準位置を、可動範囲のうち略中央付近から前記対物レンズ寄りの端部の間に設定し、前記基準位置に位置するコリメータレンズを介して前記対物レンズに入射するレーザ光に発生する球面収差によって、前記多層光ディスクの最も手前側の記録層に集光されたレーザ光に発生する球面収差がキャンセルできるように、前記対物レンズを形成するようにした。
【発明の効果】
【００１３】
本発明によれば、光ピックアップ１６を小型化することができ、ひいては光ディスク装置１全体をもより小型化することができる。
【図面の簡単な説明】
【００１４】
【図１】第１の実施の形態による光ディスク装置の全体構成を示すブロック図である。
【図２】第１の実施の形態による光ピックアップの概略構成を示す略線図である。
【図３】（Ａ）〜（Ｃ）は、図２の光ピックアップの説明に供する略線図である。
【図４】（Ａ）〜（Ｃ）は、図２の光ピックアップの説明に供する略線図である。
【図５】（Ａ）及び（Ｂ）は、第２の実施の形態による光ピックアップの構成の原理説明に供する略線図である。
【図６】第２の実施の形態による光ピックアップの構成の原理説明に供する略線図である。
【図７】第２の実施の形態による光ピックアップの概略構成を示す略線図である。
【発明を実施するための最良の形態】
【００１５】
以下図面について、本発明の一実施の形態を詳述する。
【００１６】
（１）第１の実施の形態
（１−１）本実施の形態による光ディスク装置の構成
図１において、１は全体として本実施の形態による光ディスク装置１を示す。この光ディスク装置１は、単層のＢＤ、ＤＶＤ及びＣＤに加えて、多層のＢＤ、ＤＶＤ及びＣＤなどの光ディスク２にも対応しており、ホストコンピュータ３からの要求に応じて、これらの光ディスク２にデータを記録し又はこれらの光ディスク２に記録されたデータを再生し得るようになされている。
【００１７】
実際上、この光ディスク装置１においては、ディジタル・シグナル・プロセッサ１４の制御のもとに、モータ駆動部１０がスピンドルモータ１１を駆動することにより、所定状態に装填された光ディスク２を当該光ディスク２の記録方式（例えばＣＡＶ方式又はＣＬＶ方式）に応じた回転状態で回転させる。
【００１８】
また光ディスク装置１においては、ホストコンピュータ３から送信される各種コマンドを、インタフェース部１２を介してマイクロコンピュータ部１３に入力する。
【００１９】
マイクロコンピュータ部１３は、制御プログラムが格納されたメモリ１３Ａを備えて構成され、ホストコンピュータ３から与えられるコマンドや、ディジタル・シグナル・プロセッサ１４から与えられる各種情報に応じて必要な制御処理や演算処理を実行する。
【００２０】
例えば、マイクロコンピュータ部１３は、ホストコンピュータ３から記録コマンドが与えられた場合には、インタフェース部１２を制御して、この後ホストコンピュータ３から送信される記録対象のデータをディジタル・シグナル・プロセッサ１４に送出させる。
【００２１】
ディジタル・シグナル・プロセッサ１４は、インタフェース部１２を介して与えられる記録対象のデータに対して変調処理を含む所定の信号処理を施し、かくして得られた記録信号を駆動信号としてレーザ駆動部１５に送出する。
【００２２】
レーザ駆動部１５は、ディジタル・シグナル・プロセッサ１４から与えられる駆動信号に基づいて、光ピックアップ１６内のレーザダイオードを点滅駆動する。この結果、かかる駆動信号（記録信号）の内容に応じた点滅パターン及び当該駆動信号の信号レベルに応じた光量のレーザ光Ｌ１がレーザダイオードから発射され、このレーザ光ＬＩが光ピックアップ１６内の対物レンズを介して光ディスク２の記録層２Ａ上に集光される。これにより記録対象のデータが光ディスク２に記録される。
【００２３】
また、かかるレーザ光Ｌ１の光ディスク２における反射光Ｌ２は、光ピックアップ１６内の後述するフォトディテクタにより受光されて光電変換される。そして、この光電変換により得られたＲＦ（Radio Frequency）信号がアナログ／ディジタル変換部１７においてディジタル変換されて、ディジタルＲＦ信号としてディジタル・シグナル・プロセッサ１４に与えられる。
【００２４】
ディジタル・シグナル・プロセッサ１４は、供給されるディジタルＲＦ信号に基づいて、フォーカスエラー信号やトラッキングエラー信号及び回転制御信号などの各種制御信号を生成する。かくして、これらフォーカスエラー信号及びトラッキングエラー信号に基づいて光ピックアップ１６内の図示しない２軸アクチュエータが制御され、これによりフォーカス制御やトラッキング制御が行なわれる。また回転制御信号はモータ駆動部１０に与えられ、この回転制御信号に基づいて、モータ駆動部１０によりスピンドルモータ１１の回転制御が行なわれる。
【００２５】
一方、マイクロコンピュータ部１３は、インタフェース部１２を介してホストコンピュータ３からの再生コマンドを受信すると、ディジタル・シグナル・プロセッサ１４を制御することにより、所定の制御信号をレーザ駆動部１５に送出させる。
【００２６】
レーザ駆動部１５は、供給される制御信号に基づいて、光ピックアップ１６内のレーザダイオードを所定電圧で点灯駆動する。この結果、このレーザダイオードから所定パワーのレーザ光が発射され、このレーザ光が上述の対物レンズを介して光ディスク２の記録層２Ａ上に集光される。
【００２７】
このレーザ光Ｌ１の光ディスク２における反射光Ｌ２は、光ピックアップ１６内のかかるフォトディテクタにより光電変換され、かくして得られたＲＦ信号がアナログ／ディジタル変換部１７においてディジタル変換されてディジタルＲＦ信号としてディジタル・シグナル・プロセッサ１４に与えられる。
【００２８】
ディジタル・シグナル・プロセッサ１４は、供給されるディジタルＲＦ信号に対して復調処理等の処理の再生信号処理を施し、かくして得られた再生されたデータを、インタフェース部１２を介してホストコンピュータ３に送出する。
【００２９】
またディジタル・シグナル・プロセッサ１４は、データ記録時と同様にして、かかるディジタルＲＦ信号に基づいてフォーカスエラー信号やトラッキングエラー信号及び回転制御信号などの各種制御信号を生成する。かくして、これらフォーカスエラー信号、トラッキングエラー信号及び回転制御信号に基づいて、データ記録時と同様にして、フォーカス制御、トラッキング制御及びスピンドルモータ１１の回転制御が行なわれる。
【００３０】
（１−２）本実施の形態による光ピックアップの構成
図２は、光ピックアップ１６の概略構成を示す。この図２からも明らかなように、光ピックアップ１６は、レーザダイオード２５、偏光ビームスプリッタ２１、コリメータレンズ２２、反射ミラー２３及び対物レンズ２４を備えて構成される。
【００３１】
レーザダイオード２５は、レーザ駆動部１５の制御のもとに、装填された光ディスク２の種類に応じた波長のレーザ光を発射する。そしてこのレーザダイオード２５から発射されたレーザ光Ｌ１が偏光ビームスプリッタ２１及びコリメータレンズ２２を順次介して反射ミラー２３に照射される。また反射ミラー２３に照射されたレーザ光Ｌ１は、この反射ミラー２３において所定方向に反射された後に対物レンズ２４に入射し、この対物レンズ２４により光ディスク２内の目標とする記録層上に集光される。
【００３２】
さらにレーザ光Ｌ１の光ディスク２における反射光Ｌ２は、反射ミラー２３及びコリメータレンズ２２を介して偏光ビームスプリッタ２１に入射し、この偏光ビームスプリッタ２１の偏光膜２１Ａにおいて所定方向に反射されてフォトダイオード２０の受光面に入射する。そしてフォトダイオード２０は、受光面に入射する反射光Ｌ２を光電変換し、得られたＲＦ信号を上述のようにアナログ／ディジタル変換部１７に出力する。
【００３３】
加えて、本光ピックアップ１６の場合、コリメータレンズ２２はホルダ２６により保持され、ホルダ２６はレーザ光の光路と平行に配置されたボールねじ２７と螺合している。またボールねじ２７は、ステッピングモータ２８の回転出力に基づいてその中心軸周りに回転させ得るようになされている。そしてステッピングモータ２８は、ディジタル・シグナル・プロセッサ１４により駆動制御される。
【００３４】
これにより光ピックアップ１６においては、ステッピングモータ２８を駆動することによってコリメータレンズ２２をレーザ光Ｌ１の光路に沿って対物レンズ２４に近づける方向又は対物レンズ３４から遠ざける方向に移動させることができるようになされている。
【００３５】
かくして光ピックアップ１６においては、図３（Ａ）のようにコリメータレンズ２２を透過して対物レンズ２４に入射するレーザ光Ｌ１が平行光である状態（以下、この状態のときのコリメータレンズ２２の位置を基準位置と呼ぶ）から、図３（Ｂ）のようにコリメータレンズ２２を対物レンズ２４に近づける方向に移動させることによって、対物レンズ２４に入射するレーザ光Ｌ１を集束光に変化させることができる。そしてこの場合、かかるレーザ光Ｌ１が対物レンズ２４を透過するときに発生する球面収差は、図３（Ａ）の状態のときを基準とした場合にレーザ光Ｌ１に発生する球面収差は極性（−）方向に大きくなる。
【００３６】
また図３（Ａ）の状態から、図３（Ｃ）のようにコリメータレンズ２２を対物レンズ２４から遠ざける方向に移動させることによって、対物レンズ２４に入射するレーザ光Ｌ１を発散光に変化させることができる。そしてこの場合、かかるレーザ光Ｌ１が対物レンズ２４を透過するときに発生する球面収差は、図３（Ａ）の状態のときを基準とした場合にレーザ光Ｌ１に発生する球面収差は極性（＋）方向に大きくなる。
【００３７】
このように光ピックアップ１６においては、コリメータレンズ２２の基準位置からの変位量を調整することによって、対物レンズ２４を透過するレーザ光Ｌ１に発生する球面収差の大きさを自在に調整し得るようになされている。
【００３８】
ところで、近年では光ディスク２の３層以上の多層化も進み、これに伴い光ディスク２の最も手前側の記録層２Ａから最も奥側の記録層２Ａまでの間隔も広くなってきている。このような状況のもと、上述のように対物レンズ２４を透過するレーザ光Ｌ１に発生する球面収差の大きさをコリメータレンズ２２の位置によって調整できるように光ピックアップ１６を構成した場合、より大きな調整量を得られるようにするためには、コリメータレンズ２２の可動範囲Ｒをより大きくする必要がある。そしてこのようなコリメータレンズ２２の可動範囲Ｒの拡大が光ピックアップ１６の小型化の阻害要因ともなっている。
【００３９】
ここで、本光ピックアップ１６において、例えば、図４（Ｂ）のようにコリメータレンズ２２の基準位置を当該コリメータレンズ２２の可動範囲Ｒ内のほぼ中央位置となるように設定する場合に対して、図４（Ａ）のようにコリメータレンズ２２の基準位置を当該コリメータレンズ２２の可動範囲Ｒ内の最も対物レンズ２４から離れた端部に設定する場合と、図４（Ｃ）のようにコリメータレンズ２２の基準位置を当該コリメータレンズ２２の可動範囲Ｒ内の最も対物レンズ２４に近い端部に設定する場合とを考える。
【００４０】
因みに、図４（Ｂ）は、多層の光ディスク２の最も手前側の記録層から最も奥側の記録層まで間のほぼ中央位置にレーザ光Ｌ１を集光させたときに、対物レンズ２４において発生する球面収差によって、レーザ光Ｌ１が光ディスク２内を通過する際に発生する球面収差をキャンセルできる設定である。また図４（Ａ）はかかる光ディスク２の奥側の記録層上にレーザ光Ｌ１を集光させたときに、対物レンズ２４において発生する球面収差によって、レーザ光Ｌ１が光ディスク２内を通過する際に発生する球面収差をキャンセルできる設定である。さらに図４（Ｃ）は、かかる光ディスク２の手前側の記録層上にレーザ光Ｌ１を集光させたときに、対物レンズ２４において発生する球面収差によって、レーザ光Ｌ１が光ディスク２内を通過する際に発生する球面収差をキャンセルできる設定である。
【００４１】
そしてコリメータレンズ２２が基準位置に位置している場合、レーザダイオード２０及びフォトダイオード２５はいずれもコリメータレンズ２２の焦点位置に位置していることから、図４（Ａ）〜（Ｃ）のいずれも場合においても、レーザダイオード２０及びフォトダイオード２５と、コリメータレンズ２２との間の距離は等しい。
【００４２】
よって、図４（Ａ）〜（Ｃ）の比較からも明らかなように、図４（Ｃ）のようにコリメータレンズ２２の基準位置を当該コリメータレンズ２２の可動範囲のより対物レンズ２４に近い端部に設定することによって、レーザダイオード２０及びフォトダイオード２５をより偏光ビームスプリッタ２１側に近づけることができることが分かる。
【００４３】
そこで、本実施の形態による光ピックアップ１６においては、コリメータレンズ２２の基準位置が、当該コリメータレンズ２２の可動範囲の最も対物レンズ２４に近い側の端部（又はほぼ端部）に設定されており、これによりレーザダイオード２０及びフォトダイオード２５をより偏光ビームスプリッタ２１に近い位置に配置することができるようになされている。
【００４４】
また本実施の形態による光ピックアップ１６においては、上述のようにコリメータレンズ２２の基準位置を当該コリメータレンズ２２の可動範囲Ｒ内の最も対物レンズ２４に近い側の端部に設定するため、光ディスク２の最も手前の記録層にレーザ光Ｌ１を集光させたときに、光ディスク２においてレーザ光Ｌ１に発生する球面収差を、対物レンズ２４において発生する球面収差によってキャンセルできるように対物レンズ２４が形成されている。
【００４５】
このように本実施の形態においては、光ピックアップ１６のコリメータレンズ２２の基準位置を、当該コリメータレンズ２２の可動範囲Ｒ内の最も対物レンズ２４に近い側の端部に設定すると共に、光ディスク２の最も手前の記録層にレーザ光Ｌ１を集光させたときに、光ディスク２においてレーザ光Ｌ１に発生する球面収差を対物レンズ２４において発生する球面収差によってキャンセルできるように対物レンズ２４が形成されているため、レーザダイオード２０及びフォトダイオード２５をより偏光ビームスプリッタ２１に近い位置に配置することができる。かくするにつき光ピックアップ１６、ひいては光ディスク装置１全体をより小型化することができる。
【００４６】
（２）第２の実施の形態
一般的に光ディスクは、僅かながらも偏心している。このため光ディスク装置では、光ディスクの回転に伴い変位するトラックにレーザ光を追従させるために、トラックの変位に追従させて対物レンズを光ディスクの径方向に傾かせる（チルトさせる）ことによるトラッキング制御が行われている。
【００４７】
このため第１の実施の形態のように、レーザ光をコリメータレンズの移動によって発散又は収束させる方法によると、対物レンズを傾かせることに伴い当該対物レンズに入射するレーザ光に相対的な軸ずれが発生し、これに伴って対物レンズを通過するレーザ光にコマ収差が発生する。
【００４８】
図５（Ａ）は、光ディスクとしてレーザ入射面から最も手前側の記録層までの厚みが0.1［mm］のＢＤ−ＲＯＭを用い、ディスクを徐々にチルトさせた場合に再生信号に発生するジッタ特性の実験結果を示す。また、（Ｂ）は、（Ａ）の横軸ディスクチルト量をシミュレーションからCOMA収差に置換え、ジッタに対するレーザ光に発生するコマ収差との関係をシミュレーションしたシミュレーション結果である。
【００４９】
この図５（Ａ）からも明らかなように、対物レンズを通過するレーザ光に発生するコマ収差が大きくなるにつれて（つまりディスクのチルト角が大きくなるにつれて）、再生信号に発生するジッタ量も大きくなる。そしてこのシミュレーション結果から、再生性能がほとんど変わらないコマ収差量は、図５（Ｂ）に示すように、約±0.014［λrms］程度の範囲内であることが分かる。
【００５０】
一方、図６は、図２のような構成を有する光ピックアップにおいて、自己において発生する球面収差によって光ディスクにおいて発生する球面収差をキャンセル可能な当該光ディスク内のレーザ入射面からの厚み（以下、これをキャンセル可能ディスク厚と呼ぶ）がそれぞれ異なる複数の対物レンズについて、キャンセル可能ディスク厚から最も離れた位置にある記録層において球面収差を最大限小さくできるように（0.001［λrms］以下となるように）コリメータレンズの位置を調整した状態において、対物レンズシフト量0.2［mm］のときに発生するコマ収差の大きさをシミュレーションしたシミュレーション結果である。このシミュレーションでは、キャンセル可能ディスク厚として、それぞれ0.1［mm］、0.875［mm］、0.07675［mm］、0.075［mm］、0.065［mm］及び0.0535［mm］の対物レンズを想定している。
【００５１】
この図６からも明らかなように、キャンセル可能ディスク厚から最も離れた位置にある記録層における球面収差は、キャンセル可能ディスク厚が0.07675［mm］の対物レンズが最も小さく、これよりもキャンセル可能ディスク厚が大きく又は小さくなるにつれてコマ収差が大きくなることが分かる。
【００５２】
そして、かかるコマ収差が図５（Ｂ）について上述した約±0.014［λrms］程度の範囲内となる対物レンズのキャンセル可能ディスク厚は、0.065〜0.875［mm］程度の範囲であることもこの図６から分かる。またこの場合において、第１の実施の形態について上述したように、対物レンズのキャンセル可能ディスク厚は、より小さい方が光ピックアップの構成を小型化できる。したがって、キャンセル可能ディスク厚を、コマ収差が極小となる値（0.07675[mm]）以下とすれば、ピックアップ装置を小型化し、且つコマ収差を低減した構成を実現できる。すなわち、コリメータレンズを透過したレーザ光が平行光となるコリメータレンズの基準位置が、コリメータレンズの可動範囲のうち略中央付近から前記対物レンズ寄りの端部の間に設定され、対物レンズのキャンセル可能ディスク厚を、0.065〜0.07675［mm］の範囲とすれば、ピックアップ装置の小型化とコマ収差の低減による再生性能の確保とを両立できることが分かった。また、このような小型化は、[mm]単位で装置を小型化できるため、特に多層対応のスリムディスクドライブに搭載される光ピックアップにおいて非常に有効な構成である。
【００５３】
図７は、以上のような原理に基づく本実施の形態による光ピックアップ３０の一例を示す。この光ピックアップ３０は、第１の実施の形態による光ピックアップ１６に代えて、図１について上述した光ディスク装置１に適用されるものであり、対物レンズ３１のキャンセル可能ディスク厚が0.065［mm］である点を除いて第１の実施の形態による光ピックアップ１６とほぼ同様に構成されている。
【００５４】
かくして本実施の形態による光ピックアップ３０によれば、対物レンズ３１のキャンセル可能ディスク厚を、コマ収差が約±0.014［λrms］程度の範囲内となるキャンセル可能ディスク厚の最小値である例えば0.065［mm］とした。これにより、全体としての構成を小型化しながら、再生信号に発生するジッタを抑えることができる。もちろん、本発明はこの値には限定されず、対物レンズのキャンセル可能ディスク厚を、0.065〜0.07675［mm］の範囲とすれば、ピックアップ装置の小型化とコマ収差の低減による再生性能の確保とを両立できる。
【００５５】
なお本実施の形態による光ピックアップ３０の場合、コリメータレンズ２２の基準位置は、光ディスク２のレーザ入射面から最も手前側の記録層までの距離が0.065［mm］以上である場合には、当該コリメータレンズ２２の可動範囲Ｒ内の最も対物レンズ３１に近い側の端部となるが、光ディスク２のレーザ入射面から最も手前側の記録層までの距離が0.065［mm］よりも小さい場合には、当該コリメータレンズ２２の可動範囲Ｒ内の最も対物レンズ３１に近い側の端部よりも対物レンズ３１から離れる側にずれる。
【００５６】
この場合において、コリメータレンズ２２の基準位置が、当該コリメータレンズ２２の可動範囲Ｒ内の最も対物レンズ３１に近い側の端部よりも対物レンズ３１から離れる側にどの程度ずれるかは、光ディスク２のレーザ入射面から最も手前側の記録層までの距離等による。
【００５７】
（３）他の実施の形態
上述の第１及び第２の実施の形態においては、本発明を図２又は図７のように構成された光ピックアップ１６，３０に適用するようにした場合について述べたが、本発明はこれに限らず、この他種々の構成を有する光ピックアップに広く適用することができる。
【００５８】
また上述の第１及び第２の実施の形態においては、コリメータレンズ２２をレーザ光Ｌ１の光路に沿って対物レンズ２４，３１に近づく方向又は当該対物レンズ２４，３１から遠ざかる方向に移動させるコリメータレンズ移動部を、ホルダ２６、ボールねじ２７及びステッピングモータ２８により構成するようにした場合について述べたが、本発明はこれに限らず、要は、レーザ光Ｌ１の光路に沿って対物レンズ２４，３１に近づく方向又は当該対物レンズ２４，３１から遠ざかる方向に移動させることができるのであれば、コリメータレンズ移動部の構成としては、この他種々の構成を広く適用することができる。
【産業上の利用可能性】
【００５９】
本発明は、多層光ディスクに対応した光ディスク装置に搭載される光ピックアップに適用することができる。
【符号の説明】
【００６０】
１……光ディスク装置、２……光ディスク、３……ホストコンピュータ、１６，３０……光ピックアップ、２０……レーザダイオード、２２……コリメータレンズ、２４，３１……対物レンズ、２５……フォトダイオード、２６……ホルダ、２７……ボールねじ、２８……ステッピングモータ。
【図１】
0005433441.tif 000002
【図２】
0005433441.tif 000003
【図３】
0005433441.tif 000004
【図４】
0005433441.tif 000005
【図５】
0005433441.tif 000006
【図６】
0005433441.tif 000007
【図７】
0005433441.tif 000008